【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
着用者の局部的呼吸を監視するよう適合された衣服であって、
前記衣服は：
圧縮織物からなる衣服本体であって、前記衣服本体は、圧縮衣服として構成される、衣服本体；
前記衣服本体に配設される１つ以上の呼吸センサであって、導電性インクが含浸された弾性リボン、前記弾性リボンの端部の電気的コネクタ、及び圧縮織物片からなるカバーを備える、呼吸センサ：並びに
前記衣服本体上に配置されたセンサモジュールインタフェースであって、前記呼吸センサは前記センサモジュールインタフェースに接続し、前記モジュールインタフェースは、前記呼吸センサから電気抵抗の変化を検出するために、センサマネージャユニットに接続するよう構成される、センサモジュールインタフェース、
を備える、衣服。
【請求項２】
前記導電性インクは、導電性粒子とバインダを含み、
前記導電性粒子は、カーボンブラック、グラフェン、グラファイト及び酸化物でコーティングされたマイカからなる群から選択される、請求項１に記載の衣服。
【請求項３】
前記バインダは、アクリル及び水系ポリウレタンから選択される、請求項２に記載の衣服ス。
【請求項４】
前記弾性リボンは、１０％未満のバインダを含む導電性インクが含侵されている、請求項２に記載の衣服。
【請求項５】
前記１つ以上の呼吸センサは、前記弾性リボンの第２の端部に第２の電気コネクタを備える、請求項１に記載の衣服。
【請求項６】
前記１つ以上の呼吸センサは、縫い付けられたジグザグコネクタによって前記センサモジュールインタフェースに接続され、
前記縫い付けられたジグザグコネクタは、前記衣服本体に付着された別個の圧縮織物片上に形成される、請求項１に記載の衣服。
【請求項７】
前記１つ以上の呼吸センサは、圧縮織物の前記カバー内に取り囲まれ、前記衣服本体の表面に付着される、請求項１に記載の衣服。
【請求項８】
前記１つ以上の呼吸センサは、被験者が呼吸する際に、前記センサを通る前記抵抗を変化させるよう構成される、請求項１に記載の衣服。
【請求項９】
前記１つ以上の呼吸センサが前記１つ以上の呼吸センサの端部において接続する、基準線を備える、請求項１に記載の衣服。
【請求項１０】
前記衣服本体の内側表面上に、少なくとも１つのＥＣＧ電極を備える、請求項１に記載の衣服。
【請求項１１】
前記衣服本体の前記内側表面上に、導電性インク材料で形成されたＥＣＧ電極を更に備える、請求項１に記載の衣服。
【請求項１２】
前記１つ以上の呼吸センサは、前記衣服の左側に平行に配設された第１の複数の呼吸センサと、前記衣服の右側に平行に配設された第２の複数の呼吸センサとを備える、請求項１に記載の衣服。
【請求項１３】
前記衣服本体に付着された前記別個の圧縮織物片上に形成された、前記縫い付けられたジグザグコネクタを更に備え、
前記縫い付けられたジグザグコネクタは、前記別個の圧縮織物片に正弦波状又はジグザグパターンで縫合された複数の絶縁ワイヤを備え、
更に、前記複数の呼吸センサの各前記呼吸センサは、前記複数の絶縁ワイヤ内の１つの前記絶縁ワイヤに接続する、請求項１に記載の衣服。
【請求項１４】
前記１つ以上の呼吸センサの各々は、前記圧縮織物片からなり、かつ前記衣服本体に付着された、前記カバー内に取り囲まれる、請求項１に記載の衣服。
【請求項１５】
前記１つ以上の呼吸センサは、複数の呼吸センサを備える、請求項１に記載の衣服。
【請求項１６】
前記複数の呼吸センサは、前記衣服本体の前方または後方、上方又は下方、右方又は左方の領域に別々に配置される、請求項１５に記載の衣服。
【手続補正２】
【補正対象書類名】明細書
【補正対象項目名】０２４７
【補正方法】変更
【補正の内容】
【０２４７】
本明細書に含まれる実施例及び例示は、限定ではなく例示として、主題を実施できる特定の実施形態を示す。上述のように、本開示の範囲から逸脱することなく構造的及び論理的置換及び変更を実施できるように、他の実施形態を利用でき、また上記特定の実施形態から他の実施形態を引き出すことができる。実際には２つ以上の発明又は発明的概念が開示されている場合に、本出願の範囲をいずれの単一の発明又は発明的概念に任意に限定することを意図することなく、単に利便性のために、本発明の主題のこのような実施形態を、本明細書において個々に又は集合的に、用語「発明（ｉｎｖｅｎｔｉｏｎ）」で表すことができる。従って、本明細書では具体的な実施形態が例示及び説明されているが、同一の目的を達成することを意図したいずれの構成で、示されている上記具体的な実施形態を置換できる。本開示は、様々な実施形態のいずれの及び全ての翻案又は変形を包含することを意図したものである。上述の実施形態及び本明細書に具体的に記載されていない他の実施形態の組み合わせは、以上の説明を吟味すれば当業者には明らかであろう。
〔付記１〕
着用者の局部的呼吸を監視するよう適合された衣服であって、
前記衣服は：
圧縮織物からなる衣服本体であって、前記本体は、圧縮衣服として構成される、衣服本体；
前記本体の異なる複数の領域に配設される、複数の呼吸センサであって、各前記呼吸センサは、導電性インクが含浸された弾性リボン、前記弾性リボンの各端部の電気的コネクタ、及び圧縮織物片からなるカバーを備える、複数の呼吸センサ：並びに
前記本体上に配置されたセンサモジュールインタフェースであって、各前記呼吸センサは前記センサモジュールインタフェースに接続し、更に前記モジュールインタフェースは、前記呼吸センサから電気抵抗の変化を検出するために、センサマネージャユニットに接続するよう構成される、センサモジュールインタフェース
を備える、衣服。
〔付記２〕
前記複数の呼吸センサは、６個以上の前記呼吸センサを含む、付記１に記載の衣服。
〔付記３〕
前記複数の呼吸センサは、前記本体の前部又は後部、上部又は下部、右側又は左側領域に別個に配設される、付記１に記載の衣服。
〔付記４〕
シャツとして構成された、付記１に記載の衣服。
〔付記５〕
前記呼吸センサは、縫い付けられたジグザグコネクタによって前記センサモジュールインタフェースに接続され、
前記縫い付けられたジグザグコネクタは、前記衣服本体に付着された別個の圧縮織物片上に形成される、付記１に記載の衣服。
〔付記６〕
前記呼吸センサは更に、圧縮織物の前記カバー内に取り囲まれ、前記衣服本体の表面に付着される、付記１に記載の衣服。
〔付記７〕
前記呼吸センサは、被験者が呼吸する際に、前記センサを通る前記抵抗を変化させるよう構成される、付記１に記載の衣服。
〔付記８〕
前記複数の呼吸センサの各前記呼吸センサが前記呼吸センサの端部において接続する、基準線を更に備える、付記１に記載の衣服。
〔付記９〕
前記衣服本体の内側表面上に、少なくとも１つのＥＣＧ電極を更に備える、付記１に記載の衣服。
〔付記１０〕
前記衣服本体の前記内側表面上に、導電性インク材料で形成されたＥＣＧ電極を更に備える、付記１に記載の衣服。
〔付記１１〕
前記センサマネージャユニットを、前記センサモジュールインタフェースと接続した状態に保持するよう構成された、前記衣服本体上のポケットを更に備える、付記１に記載の衣服。
〔付記１２〕
前記複数の呼吸センサは、前記衣服の左側に平行に配設された第１の複数の呼吸センサと、前記衣服の右側に平行に配設された第２の複数の呼吸センサとを備える、付記１に記載の衣服。
〔付記１３〕
前記衣服本体に付着された前記別個の圧縮織物片上に形成された、前記縫い付けられたジグザグコネクタを更に備え、
前記縫い付けられたジグザグコネクタは、前記別個の圧縮織物片に正弦波状又はジグザグパターンで縫合された複数の絶縁ワイヤを備え、
更に、前記複数の呼吸センサの各前記呼吸センサは、前記複数の絶縁ワイヤ内の１つの前記絶縁ワイヤに接続する、付記１に記載の衣服。
〔付記１４〕
前記複数の呼吸センサの各前記呼吸センサは、前記圧縮織物片からなり、かつ前記衣服本体に付着された、前記カバー内に取り囲まれる、付記１に記載の衣服。
〔付記１５〕
各前記呼吸センサは、前記導電性インク及び１０％未満のバインダが含浸された前記弾性リボンを備える、付記１に記載の衣服。
〔付記１６〕
着用者の心電図（ＥＣＧ）を監視するための衣服システムであって、
前記衣服システムは：
圧縮織物からなる衣服本体であって、前記衣服本体は、胴体に着用される圧縮衣服として構成される、衣服本体；
前記衣服本体上において、前記衣服が着用された場合に前記着用者の胸部の左胸部領域を横断して延在する第１の曲線に配設された、６個の電気センサの第１のセットであって、各前記電気センサは、前記本体の内側表面上に印刷された導電性インク電極を備える、６個の電気センサの第１のセット；
前記電気センサの前記第１のセットの上に着用されるよう構成された、支持ハーネス；
前記支持ハーネスと前記電気センサの前記第１のセットとの間に着用されるよう構成された、拡張性支持構造体；
前記衣服本体の前記内側表面上に印刷された導電性インクから形成された、右腕電極；並びに
前記衣服本体の前記内側表面上に印刷された前記導電性インクから形成された、左腕電極
を備え、
各前記電気センサは、前記電気センサからセンサマネージャユニットへとデータを通信するよう構成された、センサモジュールインタフェースに接続される、衣服システム。
〔付記１７〕
前記本体上において、前記第１の曲線に隣接する第２の曲線に配設された、６個の電気センサの第２のセットを更に備える、付記１６に記載の衣服システム。
〔付記１８〕
前記支持ハーネスは、前記衣服本体に統合される、付記１６に記載の衣服システム。
〔付記１９〕
前記支持ハーネスは、前記衣服本体から分離しており、前記衣服本体の上に着用されるよう構成される、付記１６に記載の衣服システム。
〔付記２０〕
前記支持ハーネスは、弾性領域で接続された複数の剛性領域を備える、付記１６に記載の衣服システム。
〔付記２１〕
前記拡張性支持構造体は、膨張性である、付記１６に記載の衣服システム。
〔付記２２〕
前記拡張性支持構造体は、自己膨張性である、付記１６に記載の衣服システム。
〔付記２３〕
前記電気センサはそれぞれ：
接着剤の層；
約４０〜６０％の導電性粒子と、約３０〜５０％のバインダと、約３〜７％の溶媒と、約３〜７％の濃厚剤とを有する、導電性インクの層；及び
前記導電性インクと前記接着剤との間の勾配領域
を含み、
前記勾配領域は、前記導電性インクと前記接着剤との不均一な混合物を含み、前記導電性インクの濃度は、前記導電性インクの層に近い領域から、前記弾性接着剤の層に向かって低下する、付記１６に記載の衣服システム。
〔付記２４〕
前記電気センサは、縫い付けられたジグザグコネクタによって前記センサモジュールインタフェースに接続され、
前記縫い付けられたジグザグコネクタは、前記衣服本体に付着された別個の圧縮織物片上に形成される、付記１６に記載の衣服システム。
〔付記２５〕
導電性インクが含浸された弾性リボン、前記弾性リボンの各端部の電気的コネクタ、及び圧縮織物片からなるカバーを備える、少なくとも１つの呼吸センサを更に備える、付記１６に記載の衣服システム。
〔付記２６〕
前記支持ハーネスはストラップであり、
前記拡張性支持構造体は、男性の胸部に使用するためにサイズ設定される、付記１６に記載の衣服システム。
〔付記２７〕
前記支持ハーネスはブラジャーである、付記１６に記載の衣服システム。
〔付記２８〕
前記拡張性支持構造体は、女性の胸部に使用するためにサイズ設定される、付記１６に記載の衣服システム。
〔付記２９〕
着用者の心電図（ＥＣＧ）を連続的に監視するよう構成された衣服であって、
前記シャツは：
織物からなる衣服本体であって、前記本体は、前記着用者の胴体に対して前記シャツを保持するための圧縮衣服として構成される、衣服本体；
前記衣服本体上において、前記シャツが着用された場合に前記着用者の胸部の左胸部領域を横断して延在する第１の曲線に配設された、６個の電気センサの第１のセットであって、各前記電気センサは、前記本体の内側表面上に印刷された導電性インク電極を備える、６個の電気センサの第１のセット；
前記本体上において、前記第１の曲線に隣接する第２の曲線に配設された、６個の電気センサの第２のセット
前記本体の前記内側表面上に印刷された導電性インクから形成された、右腕電極；並びに
前記本体の前記内側表面上に印刷された前記導電性インクから形成された、左腕電極
を備え、
各前記電気センサは、前記電気センサからセンサマネージャユニットへとデータを通信するよう構成された、センサモジュールインタフェースに接続される、衣服。
〔付記３０〕
ウェアラブル電子機器デバイスであって、
前記デバイスは：
圧縮織物からなる衣服：並びに
前記衣服上の、少なくとも１つのストレッチ性及び導電性インクパターンであって、前記導電性インクパターンは：
約４０〜６０％の導電性粒子と、約３０〜５０％のバインダと、約３〜７％の溶媒と、約３〜７％の濃厚剤とを有する、導電性インクの層；
前記衣服上の弾性接着剤の層；及び
前記導電性インクと前記接着剤との間の勾配領域であって、前記勾配領域は、前記導電性インクと前記接着剤との不均一な混合物を含み、前記導電性インクの濃度は、前記導電性インクの層に近い領域から、前記弾性接着剤の層に向かって低下する、勾配領域
を含む、導電性インクパターン
を備える、ウェアラブル電子機器デバイス。
〔付記３１〕
前記弾性層の厚さは、前記勾配領域の厚さより大きく、
前記導電性インクの層の厚さは、前記弾性層の厚さより小さい、付記３０に記載のデバイス。
〔付記３２〕
前記衣服は、約３ｍｍＨｇ〜約７０ｍｍＨｇの圧力を被験者の身体表面上に印加することによって、前記被験者の身体上への前記衣服の安定した連続的な位置決めを可能とするよう構成される、付記３０に記載のデバイス。
〔付記３３〕
前記導電性粒子は、カーボンブラックの粒子を含む、付記３０に記載のデバイス。
〔付記３４〕
前記導電性粒子は：カーボンブラック、グラフェン、グラファイト、銀金属粉末、銅金属粉末、又は鉄金属粉末のうちの１つ又は複数の粒子を含む、付記３０に記載のデバイス。
〔付記３５〕
前記バインダは、アクリル系バインダを含む、付記３０に記載のデバイス。
〔付記３６〕
前記溶媒は、プロピレングリコールを含む、付記３０に記載のデバイス。
〔付記３７〕
前記濃厚剤は、ポリウレタン系濃厚剤を含む、付記３０に記載のデバイス。
〔付記３８〕
前記弾性接着剤は、電気絶縁性の、熱接着性水系接合剤を含む、付記３０に記載のデバイス。
〔付記３９〕
前記導電性インクの層を少なくとも部分的に覆う、絶縁性樹脂を更に備える、付記３０に記載のデバイス。
〔付記４０〕
前記導電性インクパターンは、前記導電性インクの複数の層を含む、付記３０に記載のデバイス。
〔付記４１〕
前記導電性トレースの抵抗は、約１０ＫΩ／□未満である、付記３０に記載のデバイス。
〔付記４２〕
前記導電性インクパターンの抵抗は、印加されるストレッチによって変動する、付記３０に記載のデバイス。
〔付記４３〕
前記導電性インクパターンは、静置状態の長さの５００％まで、破損せずにストレッチされるように構成される、付記３０に記載のデバイス。
〔付記４４〕
前記導電性インクパターンは、センサとして形成される、付記３０に記載のデバイス。
〔付記４５〕
前記導電性インクパターンは、トレースとして形成される、付記３０に記載のデバイス。
〔付記４６〕
前記導電性インクパターンは、電極として構成される、付記３０に記載のデバイス。
〔付記４７〕
前記衣服に連結され、また一方の端部において前記導電性インクパターンに接続された、導電性スレッドを更に備える、付記３０に記載のデバイス。
〔付記４８〕
ウェアラブル電子機器デバイスであって、
前記デバイスは：
圧縮織物からなる衣服：並びに
約１０ＫΩ／□未満のシート抵抗を有する、前記衣服上の少なくとも１つのストレッチ性及び導電性インクパターンであって、前記導電性インクパターンは、少なくとも約２００％まで、破損することなくストレッチ可能であり、また：
約４０〜６０％の導電性粒子と、約３０〜５０％のバインダと、約３〜７％の溶媒と、約３〜７％の濃厚剤とを有する、導電性インクの層；
前記衣服上の弾性接着剤の層；
前記導電性インクと前記接着剤との間の勾配領域であって、前記勾配領域は、前記導電性インクと前記接着剤との不均一な混合物を含み、前記導電性インクの濃度は、前記導電性インクの層に近い領域から、前記弾性接着剤の層に向かって低下する、勾配領域；及び
前記導電性インクの層の少なくとも一部を覆う、絶縁性樹脂
を含む、導電性インクパターン
を備える、ウェアラブル電子機器デバイス。
〔付記４９〕
前記導電性粒子は：カーボンブラック、グラフェン、グラファイト、銀金属粉末、銅金属粉末、又は鉄金属粉末のうちの１つ又は複数の粒子を含む、付記４８に記載のデバイス。
〔付記５０〕
前記バインダは、アクリル系バインダを含む、付記４８に記載のデバイス。
〔付記５１〕
前記溶媒は、プロピレングリコールを含む、付記４８に記載のデバイス。
〔付記５２〕
前記濃厚剤は、ポリウレタン系濃厚剤を含む、付記４８に記載のデバイス。
〔付記５３〕
前記弾性接着剤は、電気絶縁性の、熱接着性水系接合剤を含む、付記４８に記載のデバイス。
〔付記５４〕
前記導電性インクパターンは、電極として構成される、付記４８に記載のデバイス。
〔付記５５〕
前記衣服に連結され、また一方の端部において前記導電性インクパターンに接続された、導電性スレッドを更に備える、付記４８に記載のデバイス。
〔付記５６〕
ウェアラブル電子機器デバイスであって、
前記デバイスは：
圧縮織物からなる衣服：
前記衣服上の少なくとも１つのストレッチ性及び導電性インクパターンであって、前記導電性インクパターンは：
約４０〜６０％の導電性粒子と、約３０〜５０％のバインダと、約３〜７％の溶媒と、約３〜７％の濃厚剤とを有する、導電性インクの層；
前記衣服上の弾性接着剤の層；及び
前記導電性インクと前記接着剤との間の勾配領域であって、前記勾配領域は、前記導電性インクと前記接着剤との不均一な混合物を含み、前記導電性インクの濃度は、前記導電性インクの層に近い領域から、前記弾性接着剤の層に向かって低下する、勾配領域
を含む、導電性インクパターン；並びに
前記圧縮織物に連結され、また少なくとも１つの端部領域において前記導電性インクに電気的に接続された、導電性スレッドであって、前記導電性スレッドは、前記衣服に沿って、正弦波状又はジグザグパターンで延在する、導電性スレッド
を備える、ウェアラブル電子機器デバイス。
〔付記５７〕
前記導電性スレッドは、前記圧縮織物に縫い付けられる、付記５６に記載のデバイス。
〔付記５８〕
前記導電性スレッドは、前記圧縮織物に接着される、付記５６に記載のデバイス。
〔付記５９〕
ウェアラブル織物歪みゲージデバイスであって、
前記デバイスは：
導電性材料を含浸させた、伸長させた弾性織物であって、前記導電性材料は、前記導電性材料の約８５％〜９９％の導電性粒子と、バインダとを含み、前記バインダは導電性材料の０．１％〜１５％である、弾性織物；
前記導電性材料を含浸させた前記伸長させた弾性織物の第１の端部に付着させた、第１の金属コネクタ；
前記導電性材料を含浸させた前記伸長させた弾性織物の第２の端部に付着させた、第２の金属コネクタ；及び
前記導電性材料を含浸させた前記伸長させた弾性織物全体のカバーであって、前記カバーは圧縮織物からなる、カバー
を備える、ウェアラブル織物歪みゲージデバイス。
〔付記６０〕
ある長さの圧縮織物にジグザグ又は正弦波状パターンで縫合され、前記第１の金属コネクタに電気的に連結された、導電性スレッドを更に備える、付記５９に記載のデバイス。
〔付記６１〕
第１の長さの圧縮織物にジグザグ又は正弦波状パターンで縫合され、前記第１の金属コネクタに電気的に連結された、第１の導電性スレッドと、第２の長さの圧縮織物にジグザグ又は正弦波状パターンで縫合され、前記第２の金属コネクタに電気的に連結された、第２の導電性スレッドとを更に備える、付記５９に記載のデバイス。
〔付記６２〕
前記導電性粒子はカーボンブラック粒子を含む、付記５９に記載のデバイス。
〔付記６３〕
前記導電性粒子は、：カーボンブラック、グラフェン、グラファイト及び酸化物でコーティングされたマイカからなる群から選択される、付記５９に記載のデバイス。
〔付記６４〕
前記導電性粒子は約９０％〜９９％であり、前記バインダは０．１％〜１０％である、付記５９に記載のデバイス。
〔付記６５〕
前記バインダは、アクリル及び水系ポリウレタンから選択される、付記５９に記載のデバイス。
〔付記６６〕
前記デバイスは、長さを２倍超伸長させた後、１％未満の電気的ヒステリシスを呈する、付記５９に記載のデバイス。
〔付記６７〕
前記伸長させた弾性織物は、長さを２倍超伸長させた後、１秒未満に元の長さに復元する、付記５９に記載のデバイス。